(57)【特許請求の範囲】
【請求項１】
情報センタから地図データをダウンロードして地図データの更新を行うナビゲーション装置の地図データ更新方法であって、
前記ナビゲーション装置は、前記地図データのダウンロードが可能な状態か否かを示す情報を前記情報センタへ送信し、
前記情報センタは、
前記ナビゲーション装置から送信される前記地図データのダウンロードが可能な状態か否かを示す情報に基づいて前記ナビゲーション装置の過去の稼働状況を示す稼働情報を蓄積し、
前記ナビゲーション装置による地図データの利用開始時までに前記地図データの更新が必要か否かを判定し、
前記地図データの更新が必要であると判定すると、更新する前記地図データのダウンロードに必要なダウンロード時間を推定するとともに前記稼働情報に基づいて前記ナビゲーション装置による地図データの利用開始時までの前記地図データのダウンロード可能時間を推定し、
前記ダウンロード時間と前記ダウンロード可能時間から前記ナビゲーション装置による前記地図データの利用開始時までに前記地図データのダウンロードが完了するか否かを判定し、
前記地図データの利用開始時までに前記地図データのダウンロードが完了すると判定した場合、ユーザに前記地図データのダウンロードを促す通知を行い、
前記地図データの利用開始時までに前記地図データのダウンロードが完了しないと判定した場合、ユーザにダウンロード以外の方法で地図データを取得することを促す通知を行うことを特徴とするナビゲーション装置の地図データ更新方法。
【請求項２】
前記情報センタは、ユーザのスケジュールが示された予定情報を取得し、
この予定情報を用いて予定されている前記地図データの利用エリアを特定し、
前記予定情報から特定した前記地図データの利用エリアと前記情報センタの地図データを比較して前記地図データの更新が必要か否かを判定することを特徴とする請求項１に記載のナビゲーション装置の地図データ更新方法。
【請求項３】
前記ナビゲーション装置は、前記情報センタからの前記地図データのダウンロードを促す通知に応じて、ユーザに前記地図データのダウンロードの許可を確認し、
ユーザによって前記地図データのダウンロードの許可が確認された場合、前記情報センタから前記地図データのダウンロードを開始することを特徴とする請求項１または２に記載のナビゲーション装置の地図データ更新方法。
【請求項４】
前記ナビゲーション装置は、前記地図データのダウンロードの途中で動作状態から前記地図データのダウンロードが不可能な停止状態になると、前記地図データのダウンロードを中断し、再度、動作状態になると、中断したところからダウンロードを再開することを特徴とする請求項１ないし３のいずれか１つに記載のナビゲーション装置の地図データ更新方法。
【発明の詳細な説明】
【技術分野】
【０００１】
本発明は、情報センタから地図データをダウンロードして地図データの更新を行うナビゲーション装置の地図データ更新方法に関する。
【背景技術】
【０００２】
従来、情報センタから無線通信網を介して地図データをダウンロードしてナビゲーション装置の地図データを更新する方法が各種提案されている（例えば、特許文献１参照）。
【特許文献１】特開２００５−１４７８６４号公報
【発明の開示】
【発明が解決しようとする課題】
【０００３】
しかし、情報センタから無線通信網を介して地図データをダウンロードしてナビゲーション装置の地図データを更新する場合、ダウンロードデータ量やデータ転送速度によってダウンロード時間が長くなってしまう場合がある。
【０００４】
また、ナビゲーション装置は、イグニッションスイッチがオンして動作状態となっている間でないと、情報センタから地図データをダウンロードすることができない。
【０００５】
したがって、ダウンロード時間やナビゲーション装置の動作状態によっては、事前に情報センタから地図データのダウンロードを開始しても、地図データの利用開始時までに地図データの更新を完了できないといった状況が考えられる。
【０００６】
本発明は上記問題に鑑みたもので、地図データの利用開始時までに地図データの更新を完了できるようにすることを目的とする。
【課題を解決するための手段】
【０００７】
本発明の第１の特徴は、ナビゲーション装置は、地図データのダウンロードが可能な状態か否かを示す情報を情報センタへ送信し、情報センタは、ナビゲーション装置から送信される地図データのダウンロードが可能な状態か否かを示す情報に基づいてナビゲーション装置の過去の稼働状況を示す稼働情報を蓄積し、ナビゲーション装置による地図データの利用開始時までに地図データの更新が必要か否かを判定し、地図データの更新が必要であると判定すると、更新する地図データのダウンロードに必要なダウンロード時間を推定するとともに稼働情報に基づいてナビゲーション装置による地図データの利用開始時までの地図データのダウンロード可能時間を推定し、ダウンロード時間とダウンロード可能時間からナビゲーション装置による地図データの利用開始時までに地図データのダウンロードが完了するか否かを判定し、地図データの利用開始時までに地図データのダウンロードが完了すると判定した場合、ユーザに地図データのダウンロードを促す通知を行い、地図データの利用開始時までに地図データのダウンロードが完了しないと判定した場合、ユーザにダウンロード以外の方法で地図データを取得することを促す通知を行うことである。
【０００８】
このような構成では、情報センタは、更新する地図データのダウンロードに必要なダウンロード時間とともにナビゲーション装置による地図データの利用開始時までの地図データのダウンロード可能時間を推定し、ダウンロード時間とダウンロード可能時間からナビゲーション装置による地図データの利用開始時までに地図データのダウンロードが完了するか否かを判定し、地図データの利用開始時までに地図データのダウンロードが完了することが判定された場合、ユーザに地図データのダウンロードを促す通知がなされ、地図データの利用開始時までに地図データのダウンロードが完了しないと判定された場合、ユーザにダウンロード以外の方法で地図データを取得する通知がなされるので、地図データの利用開始時までに地図データの更新を完了することが可能である。
【０００９】
この場合、ナビゲーション装置は、地図データのダウンロードが可能な状態か否かを示す情報を情報センタへ送信し、情報センタは、ナビゲーション装置から送信される地図データのダウンロードが可能な状態か否かを示す情報からナビゲーション装置の過去の稼働状況を示す稼働情報を蓄積し、この稼働情報からナビゲーション装置による地図データの利用開始時までの地図データのダウンロード可能時間を推定することができる。
【００１０】
また、本発明の第２の特徴は、情報センタは、ユーザの予定が示された予定情報を取得し、この予定情報を用いて予定されている地図データの利用エリアを特定し、予定情報から特定した地図データの利用エリアと情報センタの地図データを比較して地図データの更新が必要か否かを判定することである。
【００１１】
地図データの更新の要否を判定するためには、ユーザに予定している行き先の入力を促して地図データの利用エリアを特定する必要があるが、本構成では、ユーザの予定が示された予定情報を取得して予定されている地図データの利用エリアを特定するので、ユーザに予定している行き先の入力を行わせることなく、地図データの更新の要否を判定することができる。
【００１２】
また、本発明の第３の特徴は、ナビゲーション装置は、情報センタからの地図データのダウンロードを促す通知に応じて、ユーザに地図データのダウンロードの許可を確認し、ユーザによって地図データのダウンロードの許可が確認された場合、情報センタから地図データのダウンロードを開始することである。
【００１３】
このような構成では、ユーザによって地図データのダウンロードの許可が確認された場合、情報センタから地図データのダウンロードを開始するので、ユーザの意向に合わせて地図データのダウンロードを開始することができる。
【発明を実施するための最良の形態】
【００１４】
本発明の一実施形態に係る情報センタとナビゲーション装置の構成を図１に示す。ナビゲーション装置１は、通信機器１１、メモリスロット１２、表示器１３、操作器１４、地図データ記録媒体１５、ＧＰＳ受信機１６、ジャイロスコープ１７および制御回路１８を備えている。
【００１５】
通信機器１１は、パケット通信網３を介して情報センタ２と双方向の無線データ通信を行うためのものである。
【００１６】
メモリスロット１２は、メモリスティック、メモリカード等の外部メモリを挿入するためのインタフェースを有しており、このインタフェースを介して外部メモリへのデータの書き込み、外部メモリに記憶されたデータの読み出しを行う。
【００１７】
表示器１３は、液晶等の表示画面を有し、制御回路１８から入力される映像信号に応じた映像を表示画面に表示させる。
【００１８】
操作器１４は、表示器１３の表示画面に重ねて設けられたタッチスイッチや、表示器１３の表示画面の周囲に設けられたメカニカルスイッチ（いずれも図示せず）を備え、ユーザのスイッチ操作に応じた信号を制御回路１８へ出力する。
【００１９】
地図データ記録媒体１５は、ハードディスクドライブ（ＨＤＤ）等の書き換え可能な不揮発性の記憶媒体であり、経路案内用の地図データ、位置精度向上のためのマップマッチングデータ等を記憶している。
【００２０】
ＧＰＳ受信機１６およびジャイロスコープ１７は、車両の現在位置や向きを特定するための情報を検出して制御回路１８へ出力する。
【００２１】
制御回路１８は、メモリ１８ａ、ＣＰＵ（図示せず）を備えたコンピュータによって構成されている。ＣＰＵは、メモリ１８ａに記憶されたプログラムに従って各種処理を行う。
【００２２】
制御回路１８の処理としては、ＧＰＳ受信機１６およびジャイロスコープ１７から入力される情報に基づいて自車位置を算出する自車位置算出処理、自車位置と地図データ記録媒体１５に記憶された地図データに基づいて自車位置周辺の地図上に自車位置マークを重ねて表示する地図表示処理、ユーザの操作器１４の操作に応じて目的地を設定し、現在位置から目的地までの案内経路に従って走行案内を行う経路案内処理等の処理等がある。
【００２３】
また、本実施形態における制御回路１８は、ユーザの予定を管理するスケジュール機能を備えている。制御回路１８は、このスケジュール機能を用いてユーザが入力した予定情報を記憶媒体に記憶する。なお、予定情報には、出発日時、到着日時等の日時情報、目的地を示す情報等が含まれる。また、目的地を示す情報としては、住所データ、施設名称、マップコードなどを用いて示される。
【００２４】
一方、情報センタ２は、コンピュータによって構成されており、このコンピュータの記憶媒体には旧バージョンから最新バージョンまでの地図データが蓄積されている。情報センタ２のコンピュータは、パケット通信網３を介してナビゲーション装置１から地図データのダウンロードの要求があると地図データの配信を行う。
【００２５】
ナビゲーション装置１のユーザは、情報センタ２のコンピュータから地図データの配信サービスを受ける場合、事前にナビゲーション装置１を情報センタ２のコンピュータに接続して、ナビゲーション装置１のユーザ登録を行うようになっている。このユーザ登録によって、ユーザ情報とユーザ地図バージョン情報が情報センタ２のコンピュータの記憶媒体に記憶される。
【００２６】
ユーザ情報には、ユーザの名前、所有する車両のナンバー、ユーザの住所（自宅位置）等が含まれる。また、ユーザ地図バージョン情報には、所有する車両のナンバー、所有する車両に搭載されたナビゲーション装置１の地図データのバージョンを示すバージョン情報が含まれる。
【００２７】
また、本実施形態において、情報センタ２のコンピュータは、ユーザ登録されたナビゲーション装置１のダウンロード可能時間を推定するために、ユーザ登録されたナビゲーション装置１から稼働状態を示す情報を収集して記憶媒体に記憶するようになっている。すなわち、ユーザ登録されたナビゲーション装置１から情報センタ２へ稼働状態を示す情報が送信されるようになっており、情報センタ２は、これらのナビゲーション装置１から送信される情報を収集し、稼働情報として記憶媒体に記憶するようになっている。
【００２８】
次に、図２に示すフローチャートを参照して、ナビゲーション装置１の制御回路１８が情報センタ２へ稼働状態を示す情報を通知する処理について説明する。イグニッションスイッチがオンして、図示しないバッテリからイグニッションスイッチを介してナビゲーション装置１に電源が供給され、ナビゲーション装置１が停止状態から動作状態になると、制御回路１８は図２に示す処理を実施する。
【００２９】
まず、ナビゲーション装置１が起動したか否かを判定する（Ｓ１００）。具体的には、バッテリからイグニッションスイッチを介して供給される電源の供給開始を検出する検出回路（図示せず）によって電源供給の開始が検出されたか否かに基づいてナビゲーション装置１が起動したか否かを判定する。
【００３０】
イグニッションスイッチがオンしてバッテリからの電源供給が開始され、検出回路によって電源供給の開始が検出されると、Ｓ１００の判定はＹＥＳとなり、通信機器１１を介してセンタ２へ起動したことを示す起動通知を送信し、Ｓ１００へ戻る。なお、起動通知には、車両を特定するための車両ナンバーが含まれる。
【００３１】
また、電源供給が継続している間、Ｓ１００の判定はＮＯとなり、次に、ナビゲーション装置１が動作を終了するか否かを判定する（Ｓ１０４）。具体的には、イグニッションスイッチがオフしてバッテリからの電源供給が停止されたか否かに基づいてナビゲーション装置１が動作を終了するか否かを判定する。
【００３２】
また、バッテリからの電源供給が停止されると、Ｓ１０４の判定はＹＥＳとなり、次に、通信機器１１を介してセンタ２へ動作を終了したことを示す終了通知を送信し、Ｓ１００へ戻る。この終了通知には、車両を特定するためのＩＤ（例えば、車両ナンバー）が含まれる。
【００３３】
なお、本ナビゲーション装置１は、センタ２へ終了通知を送信するために、イグニッションスイッチがオフしてバッテリからの電源供給が停止されてからも、バックアップ電源（図示せず）によって動作状態を一定期間継続した後、停止状態となるようになっている。
【００３４】
情報センタ２のコンピュータは、このようにしてユーザ登録された各ナビゲーション装置１から送信される起動通知、終了通知を収集して各車両の稼働状況を示す稼働情報を記憶媒体に記憶させる。
【００３５】
次に、図３に示すフローチャートを参照して、情報センタ２のコンピュータの処理について説明する。ユーザの操作に応じてナビゲーション装置１から情報センタ２へ地図データの更新を依頼する情報が送信されると、情報センタ２のコンピュータは図３に示す処理を開始する。
【００３６】
まず、ナビゲーション装置１からユーザの予定（スケジュール）が示された予定情報を取得する（Ｓ２００）。具体的には、ナビゲーション装置１のスケジュール機能を用いて入力された予定情報を取得する。
【００３７】
次に、目的地までの経路を計算する（２０２）。具体的には、ユーザ情報からユーザの自宅位置を特定するとともに予定情報から予定されている行き先（目的地）を特定し、ユーザの自宅から目的地までの案内経路を最新の地図データを用いて計算し、経路案内に必要な地図データの利用エリアを特定する。
【００３８】
次に、ナビゲーション装置１の地図データのバージョンを確認する（Ｓ２０４）。具体的には、ユーザ情報を参照して、ナビゲーション装置１の地図データのバージョンを確認する。
【００３９】
次に、地図データの更新が必要か否かを判定する（Ｓ２０６）。具体的には、ナビゲーション装置１の地図データのバージョンからナビゲーション装置１の地図データを特定し、ナビゲーション装置１の地図データを用いて、先のＳ２０２にて計算した案内経路の走行案内が不可能な場合には、地図データの更新が必要であると判定し、走行案内が可能な場合には、地図データの更新が不要であると判定する。
【００４０】
例えば、先のＳ２０２にて計算した案内経路を示す道路情報（リンク、ノード）がナビゲーション装置１の地図データに含まれていない場合、Ｓ２０６の判定はＹＥＳとなり、次に、利用開始時までのダウンロード可能時間を推定する（Ｓ２０８）。利用日までのダウンロード可能時間Ｔ１はナビゲーション装置１から送信された起動通知、終了通知を記憶した稼働情報から推定することができる。本実施形態では、稼働情報の起動通知、終了通知から過去１ヶ月間におけるナビゲーション装置１の１日当たりの平均稼働時間を求め、この平均稼働時間を用いて利用開始時までのダウンロード可能時間Ｔ１を推定する。例えば、このナビゲーション装置１の１日当たりの平均稼働時間を３０分、地図データの利用開始時を５日後の午前０時とすると、利用日までのダウンロード可能時間Ｔ１は３０分×４日＝２時間となる。
【００４１】
次に、ダウンロード時間Ｔ２を推定する（Ｓ２１０）。具体的には、更新すべき地図データを抽出してダウンロードデータ量を求めるとともにナビゲーション装置１とのデータ転送速度を求め、ダウンロードデータ量をデータ転送速度で除算することによってダウンロード時間Ｔ２を推定する。なお、ナビゲーション装置１とのデータ転送速度は、通信機器１１の仕様等から求めてもよく、また試験用データをナビゲーション装置１へ送信し、この試験用データがナビゲーション装置１から返信されるまでの時間を計測して求めてもよい。
【００４２】
次に、利用開始時までのダウンロード可能時間Ｔ１がダウンロード時間Ｔ２よりも長いか否かを判定する（Ｓ２１２）。すなわち、ダウンロード可能時間Ｔ１とダウンロード時間Ｔ２からナビゲーション装置１による地図データの利用開始時までに地図データのダウンロードが完了するか否かを判定する。
【００４３】
利用開始時までのダウンロード可能時間Ｔ１がダウンロード時間Ｔ２よりも長い場合、Ｓ２１２の判定はＹＥＳとなり、ユーザにダウンロードを促す通知を行う（Ｓ２１４）。具体的には、ナビゲーション装置１へ所定のコマンドを送信し、ナビゲーション装置１の表示器１３にダウンロードを促すメッセージを表示させる。
【００４４】
次に、ダウンロードするか否かを判定する（Ｓ２１６）。具体的には、ナビゲーション装置１からダウンロードの開始を指示するコマンドを受信したか否かによりダウンロードするか否かを判定する。
【００４５】
ユーザのナビゲーション装置１の操作機１４の操作に応じてナビゲーション装置１からダウンロードの開始を指示するコマンドが送信されると、Ｓ２１６の判定はＹＥＳとなり、次に、ダウンロードの開始を要求するコマンドをナビゲーション装置１へ送信する（Ｓ２１８）。
【００４６】
また、図示してないが、ナビゲーション装置１からダウンロード要求があると、情報センタ２は、ナビゲーション装置１からダウンロード要求に応じて地図データの送信を開始し、地図データの送信が完了すると、本処理を終了する。
【００４７】
なお、ナビゲーション装置１の制御回路１８は、地図データをダウンロードする際に、情報センタ２からダウンロードした地図データを順次、記憶媒体に記憶させる。制御回路１８は、地図データのダウンロードの途中で動作状態から停止状態になると、地図データのダウンロードを中断して停止状態となるが、再度、動作状態になると、中断したところからダウンロードを再開させる。すなわち、制御回路１８は、地図データのダウンロードの途中で動作状態から停止状態になり、再度、停止状態から動作状態になると、地図データのダウンロードを最初からやり直すのではなく、中断したところからダウンロードを再開させて地図データのダウンロードを完了するようになっている。
【００４８】
また、Ｓ２０６において地図データの更新が不要であると判定された場合、Ｓ２０８〜Ｓ２１８の処理を行うことなく、本処理を終了する。
【００４９】
また、利用開始時までのダウンロード可能時間Ｔ１がダウンロード時間Ｔ２と等しい場合、あるいは利用開始時までのダウンロード可能時間Ｔ１がダウンロード時間Ｔ２よりも短い場合、Ｓ２１２の判定はＮＯとなり、ユーザにダウンロード以外の方法で地図データを取得することを促す通知を行う（Ｓ２２０）。具体的には、ナビゲーション装置１へ所定のコマンドを送信し、ナビゲーション装置１の表示器１３にダウンロード以外の方法で地図データを取得することを促すメッセージを表示させる。なお、ダウンロード以外の地図データの取得方法としては、例えば、自宅のパーソナルコンピュータを用いて情報センタ２から地図データをメモリカードにダウンロードした後、このメモリカードをナビゲーション装置１のメモリスロット１２に挿入してナビゲーション装置１の地図データ記録媒体１５に記憶された地図データを更新する方法、自動車販売店等から最新の地図データが記憶されたＣＤ、ＤＶＤ等の記憶媒体を入手する方法等がある。このような通知をナビゲーション装置１へ行うと、本処理を終了する。
【００５０】
上記した構成によれば、地図データの利用開始時までに地図データのダウンロードが完了することが判定された場合、ユーザに地図データのダウンロードを促す通知がなされ、地図データの利用開始時までに地図データのダウンロードが完了しないと判定された場合、ユーザにダウンロード以外の方法で地図データを取得する通知がなされるので、地図データの利用開始時までに地図データの更新を完了することが可能である。
【００５１】
また、地図データの更新の要否を判定するためには、ユーザに予定している行き先の入力を促して地図データの利用エリアを特定する必要があるが、本構成では、ユーザの予定が示された予定情報を取得して予定されている地図データの利用エリアを特定するので、ユーザに予定している行き先の入力を行わせることなく、地図データの更新の要否を判定することができる。
【００５２】
また、ユーザによって地図データのダウンロードの許可が確認された場合、情報センタから地図データのダウンロードを開始するので、ユーザの意向に合わせて地図データのダウンロードを開始することができる。
【００５３】
なお、本発明は上記実施形態に限定されるものではなく、本発明の趣旨に基づいて種々なる形態で実施することができる。
【００５４】
例えば、上記実施形態では、Ｓ２００においてナビゲーション装置１からユーザの予定（スケジュール）が示された予定情報を取得する例を示したが、例えば、自宅のパーソナルコンピュータ、携帯電話機、携帯情報端末（ＰＤＡ）等からユーザの予定情報を取得するようにしてもよい。
【００５５】
また、上記実施形態では、ユーザにダウンロードを促す通知を行う場合（Ｓ２１４）、ナビゲーション装置１の表示器１３にダウンロードを促すメッセージを表示させ、ユーザにダウンロード以外の方法で地図データを取得することを促す通知を行う場合（Ｓ２２０）、ナビゲーション装置１の表示器１３にダウンロードを促すメッセージやダウンロード以外の方法で地図データを取得することを促すメッセージを表示させる例を示したが、上記したように自宅のパーソナルコンピュータ、携帯電話機、携帯情報端末（ＰＤＡ）等からユーザの予定情報を取得するようにした場合、自宅のパーソナルコンピュータ、携帯電話機、携帯情報端末（ＰＤＡ）の表示画面に、ダウンロードを促すメッセージやダウンロード以外の方法で地図データを取得することを促すメッセージを表示させるようにしてもよい。
【００５６】
また、上記実施形態では、ユーザにダウンロードを促すメッセージやダウンロード以外の方法で地図データを取得することを促すメッセージを表示させる例を示したが、算出したダウンロード時間やダウンロードにかかる通信費用を同時に表示させるようにしてもよい。また、ダウンロードを促す通知を実施せず、自動的にダウンロードを実行してもよい。
【００５７】
また、上記実施形態では、過去１ヶ月間におけるナビゲーション装置１の１日当たりの平均稼働時間を求め、この平均稼働時間を用いて利用開始時までのダウンロード可能時間Ｔ１を推定する例を示したが、このような推定手法に限定されるものではない。例えば、過去１０日間におけるナビゲーション装置１の１日当たりの平均稼働時間を用いて利用開始時までのダウンロード可能時間Ｔ１を推定してもよく、また、一定期間内のナビゲーション装置１の曜日毎の稼働状況を算出して利用開始時までのダウンロード可能時間Ｔ１を推定してもよい。
【００５８】
また、上記実施形態では、Ｓ２１２においてダウンロード可能時間Ｔ１とダウンロード時間Ｔ２からナビゲーション装置１による地図データの利用開始時までに地図データのダウンロードが完了するか否かを判定し、地図データの利用開始時までに地図データのダウンロードが完了すると判定した場合に、ユーザにダウンロードを促す通知を行う（Ｓ２１４）例を示したが、例えば、余裕を持たせてナビゲーション装置１による地図データの利用開始時よりも所定時間α前までにダウンロードが完了するかを判定し、利用開始時よりも所定時間α前までにダウンロードが完了すると判定した場合に、ユーザにダウンロードを促す通知を行う（Ｓ２１４）ようにしてもよい。この場合、Ｓ２１２の判定において利用開始時までのダウンロード可能時間Ｔ１に所定時間αを加算した時間（Ｔ１＋α）がダウンロード時間Ｔ２よりも長いか否かを判定すればよい。
【００５９】
また、上記実施形態では、Ｓ２０２において、ユーザ情報からユーザの自宅位置を特定するとともに予定情報から予定されている行き先（目的地）を特定し、ユーザの自宅から目的地までの案内経路を最新の地図データを用いて計算し、経路案内に必要な地図データの利用エリアを特定する例を示したが、予定情報に複数の異なる予定が設定されている場合、各予定に対してそれぞれユーザの自宅から目的地までの案内経路を最新の地図データを用いて計算し、経路案内に必要な地図データの利用エリアを特定すればよい。
【００６０】
また、上記実施形態では、Ｓ２１２において利用開始時までのダウンロード可能時間Ｔ１がダウンロード時間Ｔ２よりも長いと判定された場合、Ｓ２１４にてダウンロードを促す通知を行う例を示したが、地図データの利用開始時までに余裕がある場合には、利用開始時までに地図データのダウンロードが完了するタイミングの範囲内で、地図データの利用開始時の直前に、再度、ユーザにダウンロートを促す通知を行うようにしてもよい。例えば、最初の通知と２度目の通知の間に、新規道路が開通して情報センタ２の地図データが更新されても、ユーザは２度目の通知に従って地図データのダウンロードを指示することにより、利用開始の直前の最新の地図データを情報センタ２からダウンロードすることが可能となる。この場合、２度目の通知までに予定がキャンセルされ予定情報が変更された場合には２度目の通知を行わないように、２度目の通知までに予定情報が変更されたか否かを判定し、予定情報が変更されたことを判定した場合には、２度目の通知を行わないようにしてもよい。
【図面の簡単な説明】
【００６１】
【図１】本発明の一実施形態に係る情報センタとナビゲーション装置の構成を示す図である。
【図２】ナビゲーション装置の制御回路が情報センタへ稼働状態を示す情報を通知する処理を示すフローチャートである。
【図３】情報センタのコンピュータの処理を示すフローチャートである。
【符号の説明】
【００６２】
１…ナビゲーション装置、２…情報センタ、３…パケット通信網、１１…通信機器、
１２…メモリスロット、１３…表示器、１４…操作器、１５…地図データ記録媒体、
１６…ＧＰＳ受信機、１７…ジャイロスコープ、１８…制御回路。 
【図１】
0004682860.tif 000002
【図２】
0004682860.tif 000003
【図３】
0004682860.tif 000004